(57)【特許請求の範囲】
【請求項１】
インキ壷装置のインキ壷内部又はインキ元ローラに接離可能な洗浄ヘッド（９）と、洗浄液を供給し洗浄液を回収する洗浄液供給及び洗浄廃液回収装置（１０）と、その洗浄ヘッド（９）と洗浄液供給及び洗浄廃液回収装置（１０）とを接続するホース（１１）とからなる可搬式の印刷機のインキ壷装置の洗浄装置において、前記洗浄ヘッド（９）は吸気口（１２）を備えた洗浄ケース（１３）と廃液が空気輸送される風箱（１４）とから構成され、その洗浄ケース（１３）は内部が上部（１５）と下部（１６）とに仕切られており、その上部（１５）には、適当間隔でノズルが穿設された供給管（２８）を有する洗浄部材（１７）が装着され、下部（１６）には弾性体で構成されるリップ（１８）が装着され、そのリップ（１８）はリップ保持板（１９）と共に複数個のリップスペーサ（２０）を挟んで一体に構成され、リップ（１８）とリップ保持板（１９）との間に形成されたスリット（２１）は、その一端が洗浄ケース（１３）内の通路およびリップ（１８）とリップ保持板（１９）の間のスリット（２１）を介して前記吸気口（１２）に連通し、他端が前記風箱（１４）に通じており、そのリップ（１８）の後方には伸縮機構（Ｂ）と規制機構（Ｃ）とからなる複数個の追動装置（Ａ）が設けられ、その伸縮機構（Ｂ）はリップ（１８）の押付力を調整する押しボルト（２２）とリップ（１８）を押付方向に付勢するコイルばね（２３）とからなり、前記規制機構（Ｃ）は前記伸縮機構（Ｂ）に隣接して設けられ、リップ（１８）とリップ保持板（１９）及びリップスペーサ（２０）と共に一体に締着されたリップガイド（２４）と、該リップガイド（２４）に締付ボルト（２６）により固定され洗浄面（Ｓ）とリップ保持板（１９）の間隙（ｔ）を規制するストッパ（２５）とから構成され、前記洗浄液供給及び洗浄廃液回収装置（１０）は可搬式収納容器（３１）を備え、その収納容器（３１）の中に洗浄液供給装置（Ｅ）が洗浄廃液回収装置（１０）と一体に構成され、その洗浄液供給装置（Ｅ）は洗浄液タンク（３２）とその洗浄液タンク（３２）の洗浄液を供給する洗浄液供給ポンプ（３３）とその洗浄液供給ポンプ（３３）に接続された液配管（３４）とその液配管（３４）に一端が接続され、他端が前記供給管（２８）に連通する洗浄液供給口（２７）に接続された液ホース（３５）とから構成されていることを特徴とする印刷機のインキ壷装置の洗浄装置。
【発明の詳細な説明】
【０００１】
【発明の属する技術分野】
本発明は、オフセット印刷機のインキ壺装置の洗浄装置に関するものである。
【０００２】
【従来の技術】
図７は、従来技術のインキ壺装置の断面図を示す。この図に示すように、インキ壺１の底部には、傾斜させて幅方向に複数片相接して配置したインキ・キー２を備え、それらのインキ・キー２の上面に底面シート７が設置され、その底面シート７の両側には、堰板８が設けられている。このようにインキ・キー２の先端部に近接して設けられたインキ元ローラ３と共に底面シート７と堰８とはインキ壺装置４のインキ溜５を画成している。従来、インキの色替えや印刷終了時等でインキ壺装置４内の洗浄が必要なときは、インキ壺１を回転軸６を中心にほぼ水平近くまで回転させ、インキ壺１内のインキを排出し、インキ壺１内に付着して残っているインキをヘラなどで取り除いた後、インキ壺１及びインキ元ローラ３等に付着している若干のインキを洗浄液をつけてブラシ等で落とし、最後に布で拭き取っていた。しかしながら、インキ壺１やインキ元ローラ３の洗浄作業を人手で行うことは、手間を取り、長い時間がかかると共に汚れやぬれを伴うため敬遠されていた。
【０００３】
この為、特開平５−３３８１２３号公報や特開平７−５２３６６号公報等には、洗浄作業を自動化されたものが提案されているが、しかしインキ壺装置の形状が複雑であるために、洗浄装置自体が複雑な構造となるにも拘らず、インキ壺内とインキ元ローラ表面との両方の洗浄作業を完全に行うことは困難で、最終的にはインキや洗浄液の残り部分を、布などで拭き取る手作業に頼らざるを得なかった。更に洗浄液の供給や洗浄廃液の処理には別の装置を必要とし、構造は更に複雑とならざるを得ないという問題があった。
【０００４】
【発明が解決しようとする課題】
本発明は、上述の従来技術の問題点に鑑みて提案されたもので、インキ壺装置のインキ壺内とインキ元ローラ表面の両方の洗浄作業を完全に行って、最終的に布などで拭き取る手作業を必要とせず、また、洗浄装置内に洗浄液の供給と洗浄廃液の回収装置を設けて、個々のインキ壺装置にはこれらの装置を必要としない印刷機のインキ壺装置の洗浄装置を提供することを目的としている。
【０００５】
【課題を解決するための手段】
本発明によれば、インキ壷装置のインキ壷内部又はインキ元ローラに接離可能な洗浄ヘッド（９）と、洗浄液を供給し洗浄液を回収する洗浄液供給及び洗浄廃液回収装置（１０）と、その洗浄ヘッド（９）と洗浄液供給及び洗浄廃液回収装置（１０）とを接続するホース（１１）とからなる可搬式の印刷機のインキ壷装置の洗浄装置において、前記洗浄ヘッド（９）は吸気口（１２）を備えた洗浄ケース（１３）と廃液が空気輸送される風箱（１４）とから構成され、その洗浄ケース（１３）は内部が上部（１５）と下部（１６）とに仕切られており、その上部（１５）には、適当間隔でノズルが穿設された供給管（２８）を有する洗浄部材（１７）が装着され、下部（１６）には弾性体で構成されるリップ（１８）が装着され、そのリップ（１８）はリップ保持板（１９）と共に複数個のリップスペーサ（２０）を挟んで一体に構成され、リップ（１８）とリップ保持板（１９）との間に形成されたスリット（２１）は、その一端が洗浄ケース（１３）内の通路およびリップ（１８）とリップ保持板（１９）の間のスリット（２１）を介して前記吸気口（１２）に連通し、他端が前記風箱（１４）に通じており、そのリップ（１８）の後方には伸縮機構（Ｂ）と規制機構（Ｃ）とからなる複数個の追動装置（Ａ）が設けられ、その伸縮機構（Ｂ）はリップ（１８）の押付力を調整する押しボルト（２２）とリップ（１８）を押付方向に付勢するコイルばね（２３）とからなり、前記規制機構（Ｃ）は前記伸縮機構（Ｂ）に隣接して設けられ、リップ（１８）とリップ保持板（１９）及びリップスペーサ（２０）と共に一体に締着されたリップガイド（２４）と、該リップガイド（２４）に締付ボルト（２６）により固定され洗浄面（Ｓ）とリップ保持板（１９）の間隙（ｔ）を規制するストッパ（２５）とから構成され、前記洗浄液供給及び洗浄廃液回収装置（１０）は可搬式収納容器（３１）を備え、その収納容器（３１）の中に洗浄液供給装置（Ｅ）が洗浄廃液回収装置（１０）と一体に構成され、その洗浄液供給装置（Ｅ）は洗浄液タンク（３２）とその洗浄液タンク（３２）の洗浄液を供給する洗浄液供給ポンプ（３３）とその洗浄液供給ポンプ（３３）に接続された液配管（３４）とその液配管（３４）に一端が接続され、他端が前記供給管（２８）に連通する洗浄液供給口（２７）に接続された液ホース（３５）とから構成されている  。
【０００８】
したがって、印刷機のインキ壺装置の洗浄装置において、内部のインキを排出した後、洗浄ヘッドをインキ壺の内面に接触させると、インキ壺の内部に付着したインキは、洗浄ケースの上部に装着された洗浄部材に接触する。一方、洗浄部材には、洗浄液供給装置から洗浄液が供給されており、ここで洗浄が行われる。洗浄作業は、先ず洗浄ケースの上部で行われ、ついで、この洗浄によって得られた洗浄廃液は、下部のリップによって掻き取られ、空気流入手段から送り込まれる流入空気によってスリットを通って風箱に送られる。風箱に集められた洗浄廃液は吸引用ブロアによって洗浄廃液回収装置に導かれ回収される。
【０００９】
洗浄作業中、リップの後方に配設された追動装置により、リップ及び洗浄部材の洗浄面への接触圧を調節できるため、洗浄面の状況に応じてフレキシブルに対応でき、吸入空気量の変動も少なく、吸入不足による問題はない。
【００１０】
【発明の実施の形態】
以下、図面を参照して本発明の実施の形態を説明する。
【００１１】
図１において、全体を符号１で示すインキ壺装置の洗浄装置は、洗浄ヘッド９と床面Ｆに移動自在に設けられた洗浄液供給及び洗浄廃液回収装置１０並びにこれらを接続するホース１１とから概略構成されている。洗浄作業は、洗浄ヘッド９を、洗浄面Ｓすなわち図７に示すインキ壺１の内面またはインキ元ローラ３の表面に押しつけて、洗浄液を供給しながら行い、洗浄廃液は洗浄液供給及び洗浄廃液回収装置１０で回収する。
【００１２】
図２、図３及び図４において、洗浄ヘッド９は、上面に空気流入手段である吸気口１２を備えた洗浄ケース１３と風箱１４とから構成されている。その洗浄ケース１３は、内部を上部１５と下部１６に仕切られ、上部１５にはスポンジ等で構成される洗浄部材１７が装着され、下部１６には耐溶剤性で、ゴムやプラスチック等の弾性体で構成されるリップ１８が装着されている。そのリップ１８は、リップ保持板１９と共に複数個のリップスペーサ２０を挟んで、図示しないボルト等により一体に構成されている。尚、リップスペーサ２０は、後述の複数個の追動機構Ａの位置に配設されている。そして、リップ１８とリップ保持板１９の間にはスリット２１が形成され、このスリット２１は風箱１４に貫通している。
【００１３】
このリップ１８の後方には、伸縮機構すなわちばね機構Ｂ（図４）と規制機構すなわちストップ機構Ｃ（図３）とから構成される複数個の追動装置Ａが設けられている。そのばね機構Ｂは、リップ１８の押付力を調節するための回り止めナット２２ａ付の押しボルト２２と、リップ１８を押付方向に付勢して取付けられているコイルばね２３とからなっている。また、ストップ機構Ｃは、ばね機構Ｂに隣接して設けられ、リップ１８とリップ保持板１９及びリップスペーサ２０と共に一体として締着されているリップガイド２４、ストッパ２５と締付ボルト２６から構成され、適切な追動の範囲が規制できる構造となっている。この追動装置Ａは、洗浄作業中、洗浄部材１７とリップ１８の接触圧を適宜調節できるので、洗浄面Ｓの性状、インキの付着状態の強弱、端部など洗浄面Ｓの位置、洗浄液の供給量の加減などでフレキシブルに対応できる機能を持つと共に、図中ｔで示される隙間もほぼ一定に保つことが出来るため、吸入空気量も変動が少ないという効果がある。
【００１４】
洗浄ケース１３の上部１５には、洗浄液供給口２７が設けられ、後述の洗浄液供給装置Ｅから送られた洗浄液は、該洗浄液供給口２７を介して、供給管２８に送られ、そして供給管２８に水平方向に適当な間隔で穿設した図示しない供給ノズルにより洗浄部材１７に供給されるようになっている。これらの洗浄液供給口２７、供給管２８により洗浄液供給手段Ｄが構成されている。また、風箱１４の中央側面には、継手部２９が設けられ、空気ホース３７を介して後述の洗浄液供給及び洗浄廃液回収装置１０に接続されている。前記風箱１４の上方には、洗浄液供給用の操作押しボタン３０が設けられている。なお、図中の符号４３は電線である。
【００１５】
図５及び図６において、洗浄液供給及び洗浄廃液回収装置１０は、可搬式のキャスタ付の収納容器３１を備え、その収納容器３１の中に洗浄液供給装置Ｅが洗浄廃液回収装置１０と一体に構成されている。
【００１６】
その洗浄液供給装置Ｅは、洗浄液タンク３２と、この洗浄液タンク３２の洗浄液を供給する洗浄液供給ポンプ３３と、その洗浄液供給ポンプ３３に接続された液配管３４と、その液配管３４に一端が接続され、他端が洗浄液供給口２７に接続された液ホース３５とから構成され、洗浄液タンク３２には、液供給口３６と図示しないレベルゲージが設けらてれいる。
【００１７】
また、洗浄液供給及び洗浄廃液回収装置１０には、洗浄ヘッド９の風箱１４に継手部２９を介して一端が接続された空気ホース３７が設けられ、その空気ホース３７の他端にサイクロン式の集塵器３９が接続され、このサイクロン式の集塵器３９の底部に廃液タンク４０が接続され、水平方向から垂直方向に延びる空気配管３８が接続され、この空気配管３８の下端部に吸引用ブロワ４１が接続されている。また、収納容器３１には、洗浄装置用の図示しない操作押しボタンが設けられている。
【００１８】
次に洗浄装置の動作について説明する。インキ壺装置４内の洗浄が必要なときは、前述のようにインキ壺１を回転軸６を中心として回転させ、インキ壺１内のインキを排出した後、洗浄装置によって洗浄を行う。洗浄作業に際しては、先ず、洗浄ヘッド９の継手部２９を手に持って、洗浄ヘッド９の洗浄部材１７とリップ１８を、洗浄面Ｓすなわちインキ壺１の内面又はインキ元ローラ３の表面のインキの付着している面に適宜接触させる。同時に、前記収納容器３１に付設されている洗浄装置用の操作押しボタンを押し、洗浄装置を作動させる。次いで、洗浄液供給用の押しボタン３０を押し、洗浄液を供給する。これにより、洗浄液の供給と洗浄廃液の回収とが行われる。洗浄作業が始まり、洗浄装置が運転されると、外気は図４の破線の矢印ａで示すように、洗浄ケース１３の上面の吸気口１２から吸引され、リップ１８によって掻き取られた廃液は、スリット２１を介して風箱１４に空気輸送される。該風箱１４から送られた廃液は、集塵器３９によって回収されて廃液タンク４０に集められ、清浄空気は図５の破線の矢印で示すように、吸引用ブロア４１によって大気中に放出される。洗浄液タンク３２内と廃液タンク４０の液面レベルは、レベルゲージにより検出され、適宜警報等を発する。
【００１９】
適当な時間が経過してインキ壺１の内面とインキ元ローラ３の表面が綺麗になったならば、洗浄液供給用の操作ボタン３０を押して洗浄液の供給を停止し、残った洗浄液を充分に拭き取る。その後、前述の洗浄装置用の操作押しボタンを押し、洗浄作業を停止する。
【００２０】
【発明の効果】
この発明によれば、洗浄ヘッドを手動で洗浄面上を移動させるだけでインキ壺内とインキ元ローラの表面に付着したインキを、完全に洗浄を行うことが出来るので、洗浄作業を能率よく行うことができる。しかも、追動装置を付けて、洗浄面への洗浄部材のフレキシブルな接触が可能となるため、洗浄面の状況に応じて、良好な洗浄状態を実現することが期待できると共に、洗浄作業中、吸入空気量の変動も少ないという効果がある。また、洗浄液の供給と洗浄廃液の回収装置を一体として収納し、可搬式としたので、従来のように、インキ壺装置毎に洗浄液供給装置と洗浄廃液回収装置を設ける必要がなく、構造的にもコスト的にも有利となることが期待される。
【図面の簡単な説明】
【図１】本発明の一実施の形態を示す概略側面図。
【図２】洗浄ヘッドを示す平面図。
【図３】図２のＡ−Ａ断面図。
【図４】図２のＢ−Ｂ断面図。
【図５】洗浄液供給及び洗浄廃液回収装置を示す側断面図。
【図６】図５のＣ−Ｃ断面図。
【図７】インキ壺装置の従来例を示す側断面図。
【符号の説明】
Ａ・・・追動装置
Ｂ・・・ばね機構
Ｃ・・・ストップ機構
Ｄ・・・洗浄液供給手段
Ｅ・・・洗浄液供給装置
Ｆ・・・床面
Ｓ・・・洗浄面
ｔ・・・隙間
１・・・インキ壺
２・・・インキ・キー
３・・・インキ元ローラ
４・・・インキ壺装置
５・・・インキ溜
６・・・回転軸
７・・・底面シート
８・・・堰板
９・・・洗浄ヘッド
１０・・・洗浄液供給及び洗浄廃液回収装置
１１・・・ホース
１２・・・吸気口
１３・・・洗浄ケース
１４・・・風箱
１５・・・上部
１６・・・下部
１７・・・洗浄部材
１８・・・リップ
１９・・・リップ保持板
２０・・・リップスペーサ
２１・・・スリット
２２・・・押しボルト
２３・・・コイルばね
２４・・・リップガイド
２５・・・ストッパ
２６・・・締付ボルト
２７・・・洗浄液供給口
２８・・・供給管
２９・・・継手部
３０・・・洗浄液供給用の押ボタン
３１・・・収納容器
３２・・・洗浄液タンク
３３・・・洗浄液供給ポンプ
３４・・・液配管
３５・・・液ホース
３６・・・液供給口
３７・・・空気ホース
３８・・・空気配管
３９・・・集塵器
４０・・・廃液タンク
４１・・・吸引用ブロア
４２・・・廃液取出口
４３・・・電線
【図１】
0003794434.tif 000002
【図２】
0003794434.tif 000003
【図３】
0003794434.tif 000004
【図４】
0003794434.tif 000005
【図５】
0003794434.tif 000006
【図６】
0003794434.tif 000007
【図７】
0003794434.tif 000008